(57)【特許請求の範囲】
【請求項１】
窓に配設されて外気と内気との間の熱交換を行う熱交換ユニットと、
前記熱交換ユニットの内部に配備されて自然換気または熱交換の機能を選択的に行うハイブリッド通風部と、
を備えてなるハイブリッド通風方式の窓用の換気装置において、
前記熱交換ユニットは、
収納用のケースと、
前記ケースの一側に配備されて室外空間に排出される内気をケースの内部に流入させると共に、前記ケースの内部の内気を前記窓の窓枠に排出する内気用のファンと、
前記ケースの他側に配備されて前記窓枠に流入した外気を前記ケースの内部に流入させると共に、前記ケースの内部の外気を前記ケースの外部に排出する外気用のファンと、
前記ケースの中央に配備されて前記外気と内気との間の熱交換を行う熱交換素子部と、
を備え、
前記熱交換素子部は、
内気と外気との間の熱交換を１次的に行う第１の熱交換素子と、
前記第１の熱交換素子を通過した内気と外気との間の熱交換を２次的に行う第２の熱交換素子と、
を備え、
前記第１の熱交換素子および前記第２の熱交換素子のうちの少なくとも１つが六角柱状に形成され、
前記ハイブリッド通風部は、
前記熱交換ユニットの内部左右両端にそれぞれ介装されたバイパス流路と、
前記バイパス流路を開閉するダンパーと、
前記ダンパーを駆動する駆動手段と、
前記駆動手段の駆動を制御する制御部と、
を備え、
前記駆動手段は、ソレノイドまたはアクチュエータである、ハイブリッド通風方式の窓用の換気装置。
【請求項２】
前記ケースの一側には、外気が流入する外気流入ダクトが配備されていることを特徴とする請求項１に記載のハイブリッド通風方式の窓用の換気装置。
【請求項３】
前記ケースの他側には、内気が排出される内気排出ダクトが配備されていることを特徴とする請求項２に記載のハイブリッド通風方式の窓用の換気装置。
【請求項４】
前記ケースの端部には、前記内気排出ダクトと直交する方向に外気排出ダクトが配備されて外気を排出することを特徴とする請求項３に記載のハイブリッド通風方式の窓用の換気装置。
【請求項５】
前記ケースの内面の一側には、内気をケースの内部に流入させる内気流入孔が穿設されていることを特徴とする請求項４に記載のハイブリッド通風方式の窓用の換気装置。
【請求項６】
前記第１及び第２の熱交換素子は、両方とも顕熱交換素子からなるか、両方とも全熱交換素子からなるか、あるいは、顕熱交換素子及び全熱交換素子の組み合わせからなることを特徴とする請求項１に記載のハイブリッド通風方式の窓用の換気装置。
【請求項７】
前記ケースの内部に配備されて外気が前記熱交換素子部を通過する前に外気を浄化する外気用のフィルターをさらに備えることを特徴とする請求項１に記載のハイブリッド通風方式の窓用の換気装置。
【請求項８】
前記ケースの内部に配備されて内気が前記熱交換素子部を通過する前に内気を浄化する内気用のフィルターをさらに備えることを特徴とする請求項１に記載のハイブリッド通風方式の窓用の換気装置。
【請求項９】
前記制御部は、前記熱交換ユニットの外気用のファンと電気的に接続されていることを特徴とする請求項１に記載のハイブリッド通風方式の窓用の換気装置。
【発明の詳細な説明】
【技術分野】
【０００１】
本発明は窓用の換気装置に係り、特に、室内空間の空気を室外空間に排出し、室外空間の空気を室内空間に流入させる熱交換ユニットを備えた窓用の換気装置がハイブリッド通風方式機能を備えるように構成されたハイブリッド通風方式の窓用の換気装置に関する。
【背景技術】
【０００２】
最近、室内活動時間の増大化及び建物の密集化が進むことに伴い、室内環境及び空調の重要性に関する認識が高まりつつあるのが現状である。アパートやオフィステルなどの高層ビルが密集した居住地では、外部の汚染空気が室内に流入する恐れがあるため、窓の開放を極力避けている。これにより、別途の換気手段が設けられない限り、室内の空気もその質的低下が避けられない。
【０００３】
従来の換気手段として、自動車などの機械装置から排出される排ガス、微細ホコリなどの各種の汚染物質を含んだ空気が室内に流入する場合に、これを浄化する目的で空気清浄機が開発されて市販されているが、このような空気清浄機は、新鮮な外部空気の持続的な流入を遮断したままで、窓などを介して流入した汚染空気を浄化して単に室内において繰り返し循環させるためその実効性に疑問がある。
【０００４】
上記の問題を解消するための窓型換気装置が、例えば、下記の特許文献１に開示されている。特許文献１に開示されている窓型換気装置は、窓枠の縦仕切り（ｍｕｌｌｉｏｎ）に内蔵されるものであって、横流ファン及び熱交換器を備える。横流ファンは、縦仕切りの上部を介して室外空間の空気を室内空間に流入させ、縦仕切りの下部を介して室内空間の空気を室外空間に排出する。熱交換器は、エチレングリコール、グリセリングリコールなどの熱交換媒体を内部に収容し、縦仕切りの延在方向に沿って延びる。流入する空気と排出される空気との間の熱交換は、熱交換媒体の上下往復流動によって行われる。
【０００５】
また、例えば、下記の特許文献２は、上述した問題を解消するために、換気装置付き窓を開示している。特許文献２に開示されている換気装置付き窓は、窓枠の横ばり（ｔｒａｎｓｏｍ）に内蔵されるケースを備える。前記ケースの内部には、室内空間の空気を室外空間に排出するための第１のファンと、室外空間の空気を室内空間に流入させるための第２のファンと、室外空間から流入した空気と室外空間に排出される空気とが混合されることを防ぐための隔壁と、室外空間に流入した空気と室外空間に排出される空気との間の熱交換を行うための熱交換器と、が配備される。前記熱交換器としては、フィンタイプのものまたは複数の板体が積層されたタイプのものが用いられる。
【０００６】
一方、上記の窓用の換気装置は、通常、全熱交換モードとしてしか用いられていないため、窓用の換気装置の使用過程で、必要に応じて自然換気モードに切り替えて用いるための窓用の換気装置の開発が望まれるのが現状である。
【先行技術文献】
【特許文献】
【０００７】
【特許文献１】大韓民国特許公報第１０−２００７−８９００１号
【特許文献２】大韓民国特許公報第１０−２００４−７５６８６号
【発明の概要】
【発明が解決しようとする課題】
【０００８】
本発明は上記の従来の技術における問題点及び必要性に鑑みてなされたものであり、その目的は、窓用の換気装置の使用過程で、ユーザーの必要に応じて、自然換気モードと全熱交換モードとの選択使用が可能なハイブリッド通風方式の窓用の換気装置を提供するところにある。
【課題を解決するための手段】
【０００９】
上述した本発明の目的は、窓に配設されて外気と内気との間の熱交換を行う熱交換ユニットと、前記熱交換ユニットの内部に配備されて自然換気または全熱交換の機能を選択的に行うハイブリッド通風部と、を備えてなるハイブリッド通風方式の窓用の換気装置によって達成される。
【００１０】
好ましくは、本発明において、前記熱交換ユニットは、収納用のケースと、前記ケースの一側に配備されて室外空間に排出される内気をケースの内部に流入させると共に、前記ケースの内部の内気を前記窓の窓枠に排出する内気用のファンと、前記ケースの他側に配備されて前記窓枠に流入した外気を前記ケースの内部に流入させると共に、前記ケースの内部の外気を前記ケースの外部に排出する外気用のファンと、前記ケースの中央に配備されて前記外気と内気との間の熱交換を行う熱交換素子部と、を備えることを特徴とする。
【００１１】
また、本発明において、前記ケースの一側には、外気が流入する外気流入ダクトが配備されていることを特徴とする。
【００１２】
さらに、本発明において、前記ケースの他側には、内気が排出される内気排出ダクトが配備されていることを特徴とする。
【００１３】
さらに、本発明において、前記ケースの端部には、前記内気排出ダクトと直交する方向に外気排出ダクトが配備されて外気を排出することを特徴とする。
【００１４】
さらに、本発明において、前記ケースの内面の一側には、内気をケースの内部に流入させる内気流入孔が穿設されていることを特徴とする。
【００１５】
さらに、本発明において、前記熱交換素子部は、内気と外気との間の熱交換を１次的に行う第１の熱交換素子と、前記第１の熱交換素子を通過した内気と外気との間の熱交換を２次的に行う第２の熱交換素子と、を備えることを特徴とする。
【００１６】
さらに、本発明において、前記第１及び第２の熱交換素子は、両方とも顕熱交換素子からなるか、両方とも全熱交換素子からなるか、あるいは、顕熱交換素子及び全熱交換素子の組み合わせからなることを特徴とする。
【００１７】
さらに、本発明において、前記ケースの内部に配備されて外気が前記熱交換素子部を通過する前に外気を浄化する外気用のフィルターをさらに備えることを特徴とする。
【００１８】
さらに、本発明において、前記ケースの内部に配備されて内気が前記熱交換素子部を通過する前に内気を浄化する内気用のフィルターをさらに備えることを特徴とする。
【００１９】
さらに、本発明において、前記ハイブリッド通風部は、前記熱交換ユニットの内部左右両端にそれぞれ介装されたバイパス流路と、前記バイパス流路を開閉するダンパーと、前記ダンパーを駆動する駆動手段と、を備えることを特徴とする。
【００２０】
さらに、本発明において、前記駆動手段は、ソレノイドまたはアクチュエータであることを特徴とする。
【００２１】
さらに、本発明において、前記駆動手段の駆動を制御する制御部をさらに備えることを特徴とする。
【００２２】
さらに、本発明において、前記制御部は、前記熱交換ユニットの外気用のファンと電気的に接続されていることを特徴とする。
【発明の効果】
【００２３】
本発明のハイブリッド通風方式の窓用の換気装置によれば、窓用の換気装置の使用過程で、ユーザーの必要に応じて、自然換気モードと全熱交換モードの選択使用により窓用の換気装置の機能をより一層多機能化させることが可能である。
【図面の簡単な説明】
【００２４】
【図１ａ】本発明に係るハイブリッド通風方式の窓用の換気装置の自然換気モードを示す概略平面図である。
【図１ｂ】本発明に係るハイブリッド通風方式の窓用の換気装置の全熱交換モードを示す概略平面図である。
【図２】図１ａ及び図１ｂに示す窓用の換気装置の熱交換ユニットを示す斜視図であって、熱交換ユニットの下面が取り外された状態図である。
【図３】図２に示す熱交換ユニットのファンカバーを示す斜視図である。
【図４】図２に示す熱交換ユニットを横に切り取った後に上部から見下ろした部分断面図である。
【図５】図４に示す熱交換ユニットの変形例を示す部分断面図である。
【図６】図４に示す熱交換ユニットの変形例を示す部分断面図である。
【図７】本発明に係るハイブリッド通風方式の窓用の換気装置におけるダンパーの作動を示す模式図である。
【発明を実施するための形態】
【００２５】
以下、添付図面に基づき、本発明の好適な実施形態に係るハイブリッド通風方式の窓用の換気装置について説明する。
【００２６】
以下で用いられた用語や単語は通常的または辞書的な意味に限定して解釈されてはならず、発明者はその自分の発明を最良の方法により説明するために用語の概念を適切に定義することができるという原則に即して本発明の技術的思想に合う意味及び概念として解釈されるべきである。
【００２７】
図１ａは、本発明に係るハイブリッド通風方式の窓用の換気装置の自然換気モードを示す概略平面図であり、図１ｂは、本発明に係るハイブリッド通風方式の窓用の換気装置の全熱交換モードを示す概略平面図であり、図２は、図１ａ及び図１ｂに示す窓用の換気装置の熱交換ユニットを示す斜視図であって、熱交換ユニットの下面が取り外された状態図である。
【００２８】
また、図３は、図２に示す熱交換ユニットのファンカバーを示す斜視図であり、図４は、図２に示す熱交換ユニットを横に切り取った後に上部から見下ろした部分断面図であり、図５及び図６は、図４に示す熱交換ユニットの変形例を示す部分断面図である。
【００２９】
さらに、図７は、本発明に係るハイブリッド通風方式の窓用の換気装置におけるダンパーの作動を示す模式図である。
【００３０】
まず、図２を参照すると、熱交換ユニット２１０は、ケース２１２と、このケース２１２にそれぞれ収容される外気用のフィルター２２２、内気用のフィルター２２４、熱交換素子２２６、２２８、内気用のファン２３６、外気用のファン２３８及びファンカバー２３０を備える。
【００３１】
前記ケース２１２の側面には室外空間の空気外気がケースの内部に流入するための外気流入ダクト２１４が形成され、ケース２１２の内部に流入した外気がケース２１２の外部に排出されるための外気排出ダクト２２０が形成され、ケース２１２の内部に流入した室内空間の空気（内気）がケース２１２の外部に排出自在に内気排出ダクト２１８が形成される。
【００３２】
また、ケース２１２の下面には内気がケース２１２の内部に流入するための内気流入孔２１６（図４から図６参照）が形成され、外気用のフィルター２２２、内気用のフィルター２２４及び全熱交換素子を取り替え易くするために開閉または着脱可能な扉（図示せず）が形成される。
【００３３】
一方、図１ａを参照すると、本発明に係る熱交換ユニット２１０の内部にハイブリッド通風部が配備される。
【００３４】
すなわち、前記外気流入ダクト２１４及び前記外気排出ダクト２２０の内側には駆動手段３１０から駆動力を受け取って後述するバイパス流路３３０を開閉するダンパー（図７における３２０）が配備され、前記駆動手段はダンパー３２０と隣り合って熱交換ユニット２１０の内部の一側の適所に配設される。このとき、前記駆動手段としては、ソレノイドまたはアクチュエータが使用可能である。
【００３５】
また、熱交換ユニット２１０の内部の左右両端にはバイパス流路３３０がそれぞれ介装されており、このとき、前記バイパス流路３３０は、外気流入ダクト２１４を介して流入した外気を熱交換ユニット２１０の外部にバイパスしたり、ケース２１２の内部に流入した内気を熱交換ユニット２１０の外部にバイパスしたりするために設けられる。
【００３６】
さらに、前記熱交換ユニット２１０の一側の適所には、自然換気モードまたは全熱交換モードの選択のための別途のスイッチ（図示せず）が配備され、このようなスイッチは、制御部（図７における３００）と電気的に接続されていて、前記スイッチの操作によって前記制御部３００が前記駆動手段３１０の駆動を制御すると共に、制御部３００は前記外気用のファン２３８と電気的に接続されている。
【００３７】
一方、前記外気用のフィルター２２２は、ケース２１２の内部に流入した外気を浄化するためのものである。このため、外気用のフィルター２２２は、外気がケース２１２の内部に流入した直後または外気がケース２１２の外部に排出される直前に浄化されるように配設される。
【００３８】
しかしながら、ケース２１２の内部に流入した外気がそのまま熱交換素子２２６、２２８を通過する場合に熱交換素子２２６、２２８が閉塞される恐れがあるため、外気用のフィルター２２２は外気がケース２１２の内部に流入した直後に浄化されるように配設されることが好ましい。この場合、外気用のフィルター２２２は、図２に示すように、外気流入ダクト２１４と第１の熱交換素子２２６との間に配設される。
【００３９】
内気用のフィルター２２４は、ケース２１２の内部に流入した内気を浄化するためのものである。ケース２１２の内部に流入した内気がそのまま熱交換素子２２６、２２８を通過する場合に熱交換素子２２６、２２８が閉塞される恐れがあるため内気用のフィルター２２４が配設される。内気用のフィルター２２４は、内気がケース２１２の内部に流入した直後に浄化されるように配設される。すなわち、内気用のフィルター２２４は、内気流入孔２１６と第１の熱交換素子２２６との間に配設される。
【００４０】
熱交換素子は、ケース２１２に流入した内気と外気との間の温度または温度及び湿度の交換を行うためのものであり、図２に示すように、第１の熱交換素子２２６及び第２の熱交換素子２２８を備える。このとき、第１の熱交換素子２２６及び第２の熱交換素子２２８は、外気と内気とがケース２１２の内部において混合されないように配設される。２つの熱交換素子がケース２１２の内部に設けられる場合に、第１及び第２の熱交換素子２２６、２２８は両方とも顕熱交換素子からなるか、両方とも全熱交換素子からなるか、あるいは、顕熱交換素子及び全熱交換素子の組み合わせからなる。
【００４１】
また、熱交換時間を十分に確保するために、第１及び第２の熱交換素子２２６、２２８のうちの少なくとも第１の熱交換素子２２６は六角柱状に形成されることが好ましい。しかしながら、本発明はこれに何ら限定されるものではなく、図５に示すように、熱交換素子が両方とも四角柱状に形成されてもよい。なお、熱交換素子の数も２つに限定されるものではなく、図６に示すように、単一の全熱交換素子であってもよく、場合によっては３以上の全熱交換素子であってもよい。
【００４２】
内気用のファン２３６は、内気を内気流入孔２１６に流入させ、内気排出ダクト２１８を介してケース２１２の外部に排出するために配備され、外気用のファン２３８は、外気を外気流入ダクト２１４を介してケース２１２の内部に流入させ、外気排出ダクト２２０を介してケース２１２の外部に排出するために配備される。ファンカバー２３０は、内気用のファン２３６及び外気用のファン２３８を覆うように配設される。ファンカバー２３０には、第２の熱交換素子２２８を通過した外気と内気とが互いに混ざらないように、図３に示すように、隔壁２３２が形成されている。
【００４３】
一方、ケース２１２の下面には、図４から図６に示すように、ガイドウィング２２７が配設されることが好ましい。前記ガイドウィング２２７は、外気用のフィルター２２２と第１の熱交換素子２２６との間、及び第１の熱交換素子と第２の熱交換素子２２８との間に配設されて外気及び内気の流れを案内する。なお、ガイドウィング２２７は所定の高さをもって形成され、ケース２１２の側面が位置する方向に向かって凸状となる円弧状に形成される。
【００４４】
上記の構成を有する熱交換ユニット２１０は、内気用のファン２３６及び外気用のファン２３８が作動すると、外気は外気流入ダクト２１４を介して室外空間からケース２１２の内部へと流入した後に、外気用のフィルター２２２を経て第１の熱交換素子２２６に流入し、内気は内気流入孔２１６を経てケース２１２の内部に流入した後に内気用のフィルター２２４を経て第１の熱交換素子２２６に流入する。
【００４５】
次いで、内気及び外気は第１の熱交換素子２２６において混合されることなく全熱若しくは顕熱交換した後に第２の熱交換素子２２８に流入し、第２の熱交換素子において混合されることなく全熱若しくは顕熱交換した後にファンカバー２３０の内部に流入する。次いで、内気及び外気は混合されることなく内気用のファン２３６及び外気用のファン２３８をそれぞれ経由し、内気は内気排出ダクト２１８を介して、且つ、外気は外気排出ダクト２２０を介してケース２１２の外部に排出される。図２、図４から図６において、外気の流れは実線の矢印にて示し、内気の流れは点線の矢印にて示す。
【００４６】
一方、前記熱交換ユニット２１０を取り囲むための「コ」字状断面の蓋体（図示せず）がさらに設けられていてもよい。前記蓋体がこのように構成された場合に、ユーザーは前記ケース２１２の下面に配備されている扉（図示せず）を開いた後、外気用のフィルター２２２、内気用のフィルター２２４及び全熱交換素子を取り替えることができる。
【００４７】
前記熱交換ユニット２１０及び蓋体は、上述した窓枠の縦仕切りまたは横ばりの内部の適所に内蔵される。
【００４８】
上述した過程において、必要に応じて、自然換気モードを希望するとき、図１ａに示すように、別途のスイッチ操作によって前記制御部３００が前記駆動手段３１０を駆動すると、駆動手段に接続されているダンパー３２０が前記外気流入ダクト２１４及び前記外気排出ダクト２２０を両方とも閉じ、これと同時に前記外気用のファン２３８の作動をオフにし、前記熱交換ユニット２１０の内部への外気または内気の流入を遮断することにより、バイパス流路を介して自然換気装置としての機能が行われる。
【００４９】
また、必要に応じて全熱交換モードを希望するとき、図１ｂに示すように、スイッチ操作によって前記制御部３００が前記駆動手段３１０を駆動すると、駆動手段３１０に接続されているダンパー３２０が前記外気流入ダクト２１４及び前記外気排出ダクト２２０を両方とも開き、前記外気用のファン２３８の作動をオンにし、前記バイパス流路３３０を遮断することにより、上述したように、内気と外気は第１の熱交換素子２２６において混合されることなく全熱若しくは顕熱交換した後に第２の熱交換素子２２８に流入し、第２の熱交換素子において混合されることなく全熱若しくは顕熱交換した後にファンカバー２３０の内部に流入する。次いで、内気及び外気は混合されることなく内気用のファン２３６及び外気用のファン２３８をそれぞれ経由し、内気は内気排出ダクト２１８を介して、且つ、外気は外気排出ダクト２２０を介してケース２１２の外部に排出される。
【００５０】
以上、本発明に係るハイブリッド通風方式の窓用の換気装置を参考として説明したが、この明細書に開示されている実施形態及び図面によって本発明は何ら限定されるものではなく、その発明の技術思想の範囲内であれば、当業者によって種々の変形が可能であるということはいうまでもない。
【符号の説明】
【００５１】
２１０  熱交換ユニット
２１２  ケース
２２０  外気排出ダクト
２２２  外気用のフィルター
２２４  内気用のフィルター
２２６  第１の熱交換素子
２２８  第２の熱交換素子
２３０  ファンカバー
２３６  内気用のファン
２３８  外気用のファン
３００  制御部
３１０  駆動手段
３２０  ダンパー
３３０  バイパス流路
【図１ａ】
0005581439.tif 000002
【図１ｂ】
0005581439.tif 000003
【図２】
0005581439.tif 000004
【図３（ａ）】
0005581439.tif 000005
【図３（ｂ）】
0005581439.tif 000006
【図４】
0005581439.tif 000007
【図５】
0005581439.tif 000008
【図６】
0005581439.tif 000009
【図７】
0005581439.tif 000010